(57)【特許請求の範囲】
【請求項１】
工具本体と、
清掃体を清掃対象に押し当てるヘッドを有し、前記工具本体から延び出た延出部と、
を備え、
前記ヘッドにより前記清掃対象に前記清掃体を押し付けた状態で前記工具本体を前記延出部に向かって移動させ、前記清掃体により前記清掃対象を清掃する清掃工具であって、
前記延出部は、
レセプタクル側光コネクタの円筒形状の本体を有するバヨネットタイプのレセプタクル側結合部と嵌合するレセプタクル用嵌合部であり、前記レセプタクル側結合部の前記本体の内側に挿入される円柱形状のレセプタクル用嵌合部と、
前記レセプタクル側光コネクタの清掃時に前記レセプタクル側結合部の前記本体の前縁と接触する段差面を有するレセプタクル用接触部と
を有し、
前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、
前記レセプタクル用嵌合部にプラグ用アタッチメントが装着されるとともに、
前記レセプタクル用嵌合部の前記プラグ側光コネクタの側の端面が、前記プラグ用アタッチメントに挿入された前記プラグ側光コネクタの前記プラグ側結合部の前記挿入部の端面と接触する
ことを特徴とする清掃工具。
【請求項２】
工具本体と、
清掃体を清掃対象に押し当てるヘッドを有し、前記工具本体から延び出た延出部と、
を備え、
前記ヘッドにより前記清掃対象に前記清掃体を押し付けた状態で前記工具本体を前記延出部に向かって移動させ、前記清掃体により前記清掃対象を清掃する清掃工具であって、
前記延出部は、
レセプタクル側光コネクタの円筒形状の本体と前記本体の内周面から内側に突出した内側突起部とを有するバヨネットタイプのレセプタクル側結合部と嵌合するレセプタクル用嵌合部であり、前記レセプタクル側結合部の前記本体の内側に挿入される円柱形状のレセプタクル用嵌合部と、
円柱形状の前記レセプタクル用嵌合部の外周面に形成された溝の端部であり、前記レセプタクル側光コネクタの清掃時に前記レセプタクル側結合部の前記内側突起部と接触するレセプタクル用接触部と
を有し、
前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、
前記レセプタクル用嵌合部にプラグ用アタッチメントが装着されるとともに、
前記レセプタクル用嵌合部の前記プラグ側光コネクタの側の端面が、前記プラグ用アタッチメントに挿入された前記プラグ側光コネクタの前記プラグ側結合部の前記挿入部の端面と接触する
ことを特徴とする清掃工具。
【請求項３】
請求項１又は２に記載の清掃工具であって、
前記延出部の先端部には、前記プラグ用アタッチメントのキャップを開けたときに前記キャップを固定可能な固定部が設けられていることを特徴とする清掃工具。
【請求項４】
請求項１に記載の清掃工具であって、
前記レセプタクル用接触部と、前記プラグ側結合部と接触する前記レセプタクル用嵌合部の端面との間の寸法は、４．４〜９．６ｍｍの範囲であることを特徴とする清掃工具。
【請求項５】
請求項２に記載の清掃工具であって、
前記レセプタクル用接触部と、前記プラグ側結合部と接触する前記レセプタクル用嵌合部の端面との間の寸法は、０．４〜７．９ｍｍの範囲であることを特徴とする清掃工具。
【請求項６】
請求項１〜５のいずれかに記載の清掃工具であって、
前記レセプタクル用嵌合部及び前記レセプタクル用接触部は、前記延出部の先端部に着脱可能なアタッチメントに設けられていることを特徴とする清掃工具。
【請求項７】
請求項１〜６のいずれかに記載の清掃工具であって、
前記レセプタクル用嵌合部及び前記レセプタクル用接触部は、前記延出部に一体的に形成されていることを特徴とする清掃工具。
【請求項８】
ヘッドにより清掃対象に清掃体を押し付けた状態で工具本体を延出部に向かって移動させ、前記清掃体により前記清掃対象を清掃する清掃工具に着脱可能なレセプタクル用アタッチメントであって、
レセプタクル側光コネクタの円筒形状の本体を有するバヨネットタイプのレセプタクル側結合部と嵌合するレセプタクル用嵌合部であり、前記レセプタクル側結合部の前記本体の内側に挿入される円柱形状のレセプタクル用嵌合部と、
前記レセプタクル側光コネクタの清掃時に前記レセプタクル側結合部の前記本体の前縁と接触する段差面を有するレセプタクル用接触部と
を有し、
前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、
前記レセプタクル用嵌合部にプラグ用アタッチメントが装着されるとともに、
前記レセプタクル用嵌合部の前記プラグ側光コネクタの側の端面が、前記プラグ用アタッチメントに挿入された前記プラグ側光コネクタの前記プラグ側結合部の前記挿入部の端面と接触する
ことを特徴とするレセプタクル用アタッチメント。
【請求項９】
ヘッドにより清掃対象に清掃体を押し付けた状態で工具本体を延出部に向かって移動させ、前記清掃体により前記清掃対象を清掃する清掃工具に着脱可能なレセプタクル用アタッチメントであって、
レセプタクル側光コネクタの円筒形状の本体と前記本体の内周面から内側に突出した内側突起部とを有するバヨネットタイプのレセプタクル側結合部と嵌合するレセプタクル用嵌合部であり、前記レセプタクル側結合部の前記本体の内側に挿入される円柱形状のレセプタクル用嵌合部と、
円柱形状の前記レセプタクル用嵌合部の外周面に形成された溝の端部であり、前記レセプタクル側光コネクタの清掃時に前記レセプタクル側結合部の前記内側突起部と接触するレセプタクル用接触部と
を有し、
前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、
前記レセプタクル用嵌合部にプラグ用アタッチメントが装着されるとともに、
前記レセプタクル用嵌合部の前記プラグ側光コネクタの側の端面が、前記プラグ用アタッチメントに挿入された前記プラグ側光コネクタの前記プラグ側結合部の前記挿入部の端面と接触する
ことを特徴とするレセプタクル用アタッチメント。
【発明の詳細な説明】
【技術分野】
【０００１】
本発明は、光コネクタの清掃工具及びアタッチメントに関する。
【背景技術】
【０００２】
フェルールを後退可能に収容した光コネクタとして、例えばＭＰＯコネクタ（ＪＩＳ  Ｃ５９８２に制定されるＦ１３形光コネクタ）が知られている。フェルールを後退可能に収容することによって、光コネクタの接続時にフェルール端面を所定の力で物理的に突き当てて、光ファイバ同士を光結合させている。
【０００３】
ＭＰＯコネクタを清掃する清掃工具として、特許文献１記載の清掃工具が知られている。特許文献１記載の清掃工具は、工具本体から延び出た挿入部（後述する延出部に相当）を光アダプタ（若しくは光コネクタレセプタクル）に挿入して、光アダプタ内のフェルール端面を清掃可能であるとともに、延出部にガイドを装着することによって、光プラグ側のフェルール端面も清掃可能である。特許文献１記載の清掃工具の挿入部には、工具本体側に段差が設けられており、光アダプタの清掃時には、この段差が光アダプタのコネクタ挿入口の周縁部に当接することによって、清掃工具の挿入部が深く侵入されすぎること（過侵入）を防止している。
また、ＳＣコネクタ（ＪＩＳ  Ｃ  ５９７３に制定されるＳＣ形光コネクタ）等の単心光コネクタを清掃する清掃工具として、特許文献２記載の清掃工具が知られている。特許文献２記載の清掃工具は、光アダプタ内のフェルールの清掃時には、アダプタ内の割りスリーブを清掃工具の先端部に当接することによって過侵入を防止している（特許文献２の図６参照）。
【先行技術文献】
【特許文献】
【０００４】
【特許文献１】特開２００５−１０７２６号公報
【特許文献２】特許第４５７９３３０号公報
【発明の概要】
【発明が解決しようとする課題】
【０００５】
特許文献１によれば、ＭＰＯコネクタ（プラグ側光コネクタに相当）の清掃時には、挿入部に装着されたガイド（プラグ用アタッチメントに相当）の光コネクタ挿入口の周縁部が、ＭＰＯコネクタのハウジング外周のカップリングと当接することになる（例えば特許文献１の図８参照）。特許文献２によれば、アダプタから外した状態のＳＣコネクタ（プラグ側光コネクタに相当）の清掃時には、清掃工具に装着されたアタッチメントがＳＣコネクタのハウジングと当接することになる（例えば特許文献１の図８０参照）。但し、このようにプラグ側の清掃時にプラグ用アタッチメントがプラグ側光コネクタに突き当てられると、プラグ用アタッチメントがプラグ側光コネクタから力を受けてしまう。この結果、清掃時にプラグ用アタッチメントが不安定になり、脱落するおそれが生じてしまう。
【０００６】
本発明は、プラグ側光コネクタの清掃時にプラグ用アタッチメントに力がかかることを抑制することを目的とする。
【課題を解決するための手段】
【０００７】
上記目的を達成するための主たる第１の発明は、工具本体と、清掃体を清掃対象に押し当てるヘッドを有し、前記工具本体から延び出た延出部と、を備え、前記ヘッドにより前記清掃対象に前記清掃体を押し付けた状態で前記工具本体を前記延出部に向かって移動させ、前記清掃体により前記清掃対象を清掃する清掃工具であって、前記延出部は、レセプタクル側光コネクタの円筒形状の本体を有するバヨネットタイプのレセプタクル側結合部と嵌合するレセプタクル用嵌合部であり、前記レセプタクル側結合部の前記本体の内側に挿入される円柱形状のレセプタクル用嵌合部と、前記レセプタクル側光コネクタの清掃時に前記レセプタクル側結合部の前記本体の前縁と接触する段差面を有するレセプタクル用接触部とを有し、前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、前記レセプタクル用嵌合部にプラグ用アタッチメントが装着されるとともに、前記レセプタクル用嵌合部の前記プラグ側光コネクタの側の端面が、前記プラグ用アタッチメントに挿入された前記プラグ側光コネクタの前記プラグ側結合部の前記挿入部の端面と接触することを特徴とする清掃工具である。
また、上記目的を達成するための主たる第２の発明は、工具本体と、清掃体を清掃対象に押し当てるヘッドを有し、前記工具本体から延び出た延出部と、を備え、前記ヘッドにより前記清掃対象に前記清掃体を押し付けた状態で前記工具本体を前記延出部に向かって移動させ、前記清掃体により前記清掃対象を清掃する清掃工具であって、前記延出部は、レセプタクル側光コネクタの円筒形状の本体と前記本体の内周面から内側に突出した内側突起部とを有するバヨネットタイプのレセプタクル側結合部と嵌合するレセプタクル用嵌合部であり、前記レセプタクル側結合部の前記本体の内側に挿入される円柱形状のレセプタクル用嵌合部と、円柱形状の前記レセプタクル用嵌合部の外周面に形成された溝の端部であり、前記レセプタクル側光コネクタの清掃時に前記レセプタクル側結合部の前記内側突起部と接触するレセプタクル用接触部とを有し、前記レセプタクル側光コネクタと接続するプラグ側光コネクタであり、前記本体に挿入する挿入部と前記挿入部の外側で回転可能な回転部とを有するバヨネットタイプのプラグ側結合部を有するプラグ側光コネクタの清掃時に、前記レセプタクル用嵌合部にプラグ用アタッチメントが装着されるとともに、前記レセプタクル用嵌合部の前記プラグ側光コネクタの側の端面が、前記プラグ用アタッチメントに挿入された前記プラグ側光コネクタの前記プラグ側結合部の前記挿入部の端面と接触することを特徴とする清掃工具である。
【０００８】
本発明の他の特徴については、後述する明細書及び図面の記載により明らかにする。
【発明の効果】
【０００９】
本発明によれば、プラグ側光コネクタの清掃時にプラグ用アタッチメントに力がかかることを抑制できる。
【図面の簡単な説明】
【００１０】
【図１】図１Ａ及び図１Ｂは、光コネクタシステムの説明図である。図１Ａはレセプタクル側光コネクタ１０の斜視図である。図１Ｂは、プラグ側光コネクタ２０の斜視図である。
【図２】図２は、清掃工具１の斜視図である。
【図３】図３Ａ及び図３Ｂは、レセプタクル用アタッチメント３０を装着したときの延出部６の先端部の斜視図である。
【図４】図４Ａ及び図４Ｂは、プラグ用アタッチメント４０を装着したときの延出部６の先端部の斜視図である。図４Ａは、キャップ４３を閉じた状態の斜視図である。図４Ｂは、キャップ４３を開けた状態の斜視図である。
【図５】図５Ａ及び図５Ｂは、プラグ用アタッチメント４０（単体）の斜視図である。
【図６】図６Ａは、レセプタクル側光コネクタ１０の清掃時の説明図である。図６Ｂは、プラグ側光コネクタ２０の清掃時の説明図である。
【図７】図７Ａ及び図７Ｂは、第２実施形態の清掃工具１における延出部６の先端部の斜視図である。
【図８】図８Ａ及び図８Ｂは、第２実施形態における清掃時の説明図である。
【発明を実施するための形態】
【００１１】
後述する明細書及び図面の記載から、少なくとも以下の事項が明らかとなる。
【００１２】
工具本体と、清掃体を清掃対象に押し当てるヘッドを有し、前記工具本体から延び出た延出部と、を備え、前記ヘッドにより前記清掃対象に前記清掃体を押し付けた状態で前記工具本体を前記延出部に向かって移動させ、前記清掃体により前記清掃対象を清掃する清掃工具であって、前記延出部は、レセプタクル側光コネクタのレセプタクル側結合部と嵌合するレセプタクル用嵌合部と、前記レセプタクル側光コネクタの清掃時に前記レセプタクル側結合部と接触するレセプタクル用接触部とを有し、前記レセプタクル側光コネクタと接続するプラグ側光コネクタの清掃時に、前記レセプタクル用嵌合部にプラグ用アタッチメントが装着されるとともに、前記レセプタクル用嵌合部の端面が、前記プラグ用アタッチメントに挿入された前記プラグ側光コネクタのプラグ側結合部と接触することを特徴とする清掃工具が明らかとなる。このような清掃工具によれば、プラグ側光コネクタの清掃時にプラグ用アタッチメントに力がかかることを抑制できる。
【００１３】
前記延出部の先端部には、前記プラグ用アタッチメントのキャップを開けたときに前記キャップを固定可能な固定部が設けられていることが望ましい。これにより、プラグ用アタッチメントが脱落しにくくなる。
【００１４】
前記レセプタクル側結合部及び前記プラグ側結合部は、バヨネットタイプの結合機構であり、前記プラグ側結合部は、前記レセプタクル側結合部の円筒形状の本体に挿入する挿入部と、前記挿入部の外側で回転可能な回転部とを有することが望ましい。これにより、プラグ用アタッチメントの短縮化が可能である。
【００１５】
前記レセプタクル用接触部は、前記レセプタクル側結合部の円筒形状の本体の前縁と接触することが望ましい。これにより、レセプタクル側光コネクタに対するヘッドの前後方向の位置合わせを行うことが可能である。
【００１６】
前記レセプタクル用接触部と、前記プラグ側結合部と接触する前記レセプタクル用嵌合部の端面との間の寸法は、４．４〜９．６ｍｍの範囲であることが望ましい。これにより、レセプタクル用接触部とプラグ用接触部との間の寸法が適切になる。
【００１７】
前記レセプタクル用接触部は、前記レセプタクル側結合部の円筒形状の本体の内側に突出する内側突出部と接触することが望ましい。これにより、レセプタクル用接触部とプラグ用接触部との間の寸法が短縮化可能になる。
【００１８】
前記レセプタクル用接触部と、前記プラグ側結合部と接触する前記レセプタクル用嵌合部の端面との間の寸法は、０．４〜７．９ｍｍの範囲であることが望ましい。これにより、レセプタクル用接触部とプラグ用接触部との間の寸法が適切になる。
【００１９】
前記レセプタクル用嵌合部及び前記レセプタクル用接触部は、前記延出部の先端部に着脱可能なアタッチメントに設けられていることが望ましい。これにより、他の光コネクタを清掃するための清掃工具を用いて、バヨネットタイプの光コネクタの清掃が可能になる。
【００２０】
前記レセプタクル用嵌合部及び前記レセプタクル用接触部は、前記延出部に一体的に形成されていることが望ましい。これにより、レセプタクル側光コネクタの清掃時にアタッチメントが脱落するおそれがなくなる。
【００２１】
ヘッドにより清掃対象に清掃体を押し付けた状態で工具本体を延出部に向かって移動させ、前記清掃体により前記清掃対象を清掃する清掃工具に着脱可能なレセプタクル用アタッチメントであって、レセプタクル側光コネクタのレセプタクル側結合部と嵌合するレセプタクル用嵌合部と、前記レセプタクル側光コネクタの清掃時に前記レセプタクル側結合部と接触するレセプタクル用接触部とを有し、前記レセプタクル側光コネクタと接続するプラグ側光コネクタの清掃時に、前記レセプタクル用嵌合部にプラグ用アタッチメントが装着されるとともに、前記レセプタクル用嵌合部の端面が、前記プラグ用アタッチメントに挿入された前記プラグ側光コネクタのプラグ側結合部と接触することを特徴とするレセプタクル用アタッチメントが明らかとなる。このようなレセプタクル用アタッチメントによれば、プラグ側光コネクタの清掃時にプラグ用アタッチメントに力がかかることを抑制できる。
【００２２】
＝＝＝第１実施形態＝＝＝
まず清掃対象となる光コネクタについて説明し、その次に清掃工具１及びアタッチメントについて説明する。
【００２３】
＜光コネクタ＞
図１Ａ及び図１Ｂは、光コネクタシステムの説明図である。図１Ａはレセプタクル側光コネクタ１０の斜視図である。図１Ｂは、プラグ側光コネクタ２０の斜視図である。
【００２４】
以下の光コネクタの説明では、図１Ａ及び図１Ｂに示すように、各方向を定義する。すなわち、コネクタ着脱方向を「前後方向」とし、相手側の光コネクタの側を「前」とし、逆側を「後」とする。また、光コネクタ内のフェルールの長方形状の端面の長辺方向を「左右方向」とし、後側から前側に向かって見たときの右側を「右」とし、逆側を「左」とする。また、前後方向及び左右方向に垂直な方向を「上下方向」とする。
【００２５】
光コネクタシステムは、レセプタクル側光コネクタ１０と、プラグ側光コネクタ２０とを有する。レセプタクル側光コネクタ１０は雌型の光コネクタであり、プラグ側光コネクタ２０は、雄型の光コネクタである。レセプタクル側光コネクタ１０とプラグ側光コネクタ２０とを接続すると、レセプタクル側のフェルール１５（図１Ａでは不図示：図６Ａ参照）とプラグ側のフェルール２５の端面同士が突き当たる。これにより、光ファイバの端面同士が物理的に突き当たり、光ファイバ同士が光接続することになる。
【００２６】
レセプタクル側光コネクタ１０はレセプタクル側結合部１１を備えており、プラグ側光コネクタ２０はプラグ側結合部２１を備えている。レセプタクル側結合部１１及びプラグ側結合部２１は、光コネクタを結合するための結合機構であり、ここでは、電気的な同軸コネクタで採用されているバヨネットタイプのＢＮＣ形の結合機構が採用されている。なお、レセプタクル側結合部１１及びプラグ側結合部２１の構造や寸法については、一般社団法人電波産業会（ＡＲＩＢ）においてARIB STD-B58の中で標準規格化されている。
【００２７】
レセプタクル側結合部１１は、円筒形状の本体１２と、突起部（１３Ａ，１３Ｂ）とを有する。本体１２の内部には、レセプタクル側のフェルール１５（図６Ａ参照）が配置されている。突起部は、円筒形状の本体１２の外周面から外側に突出した外側突起部１３Ａと、本体１２の内周面から内側に突出した内側突起部１３Ｂとを有する。
【００２８】
プラグ側結合部２１は、挿入部２２と回転部２３とを有する。挿入部２２は、レセプタクル側結合部１１（詳しくはレセプタクル側結合部１１の本体１２）に挿入する部位である。挿入部２２の外周には、前後方向に沿って溝２２Ａが形成されている。回転部２３は、挿入部２２の外側で回転可能な筒状の部位である。回転部２３には、導入部２３Ａと係止部２３Ｂが形成されている。挿入部２２の外周面と回転部２３の内周面との間には環状の隙間が空いており、この環状の隙間にレセプタクル側結合部１１の円筒形状の本体１２が入り込むことになる。
【００２９】
レセプタクル側結合部１１にプラグ側結合部２１を結合させるとき、作業者は、回転部２３を回転させつつレセプタクル側の外側突起部１３Ａを回転部２３の導入部２３Ａに通し、外側突起部１３Ａを係止部２３Ｂに係止させることになる。また、レセプタクル側の内側突起部１３Ｂとプラグ側の溝２２Ａとを合わせながらプラグ側の挿入部２２をレセプタクル側の本体１２に挿入させることによって、レセプタクル側光コネクタ１０とプラグ側光コネクタ２０との位置合わせが行われることになる。
【００３０】
フェルール１５，２５は、複数の光ファイバを保持する部材であり、ここではＭＴ形光コネクタ（ＪＩＳ  Ｃ５９８１に制定されるＦ１２形光コネクタ。ＭＴ：Mechanically Transferable）である。レセプタクル側のフェルール１５は、円筒形状の本体１２の内側で後退可能に収容されている。レセプタクル側のフェルール１５の端面からはガイドピンが突出しており、レセプタクル側のフェルール１５及びガイドピンは、円筒形状の本体１２の前縁１２Ａよりも後側に位置している。プラグ側のフェルール２５は、挿入部２２の内側で後退可能に収容されている。また、プラグ側のフェルール２５は、挿入部２２の前端面２２Ｂよりも後側に位置している。光コネクタの接続時には、レセプタクル側のフェルール１５のガイドピンとプラグ側のフェルール２５のガイド穴とが嵌合し、フェルール１５，２５が位置決めされる。このとき、フェルール１５，２５の端面同士が突き当たることによって、光ファイバの端面同士が物理的に突き当たり、光ファイバ同士が光接続することになる。所定の力で光ファイバの端面同士を突き当てるために、いずれのフェルール１５，２５も前側に押圧された状態で後退可能に収容されている。
【００３１】
＜清掃工具１＞
図２は、清掃工具１の斜視図である。清掃工具１は、工具本体４と、工具本体４から延び出た延出部６とを備えている。また、清掃工具１は、着脱可能なアタッチメントとしてレセプタクル用アタッチメント３０及びプラグ用アタッチメント４０を備えている。
【００３２】
以下の清掃工具１及びアタッチメントの説明では、図２に示すように、各方向を定義する。すなわち、工具本体４から延出部６が延び出る方向（若しくは工具本体４と延出部６との相対移動方向）を「前後方向」とし、工具本体４から見て延出部６の側を「前」とし、逆側を「後」とする。また、清掃体２の幅方向を「左右方向」とし、後側から前側に向かって見たときの右側を「右」とし、逆側を「左」とする。また、前後方向及び左右方向に垂直な方向を「上下方向」とし、突部８のある側を「上」とし、逆側を「下」とする。
【００３３】
工具本体４は、作業者が清掃工具１を把持する部位である。工具本体４の内部には、清掃体２を供給する供給機構や、清掃体２を回収する回収機構などが設けられている。
【００３４】
延出部６は、ヘッド７を有している。ヘッド７は、清掃対象面（光コネクタのフェルールの端面）に清掃体２を押し付けるための部材である。ヘッド７は延出部６の端部に位置しており、ヘッド７の外面には清掃体２が巻き付けられている。清掃対象面に清掃体２を押し付けられるように、ヘッド７の外面に巻き付けられた清掃体２は外部に露出している。所定の力で清掃体２を清掃対象面に押し付けるために、ヘッド７は、前側に押圧された状態で後退可能に延出部６に収容されている。
【００３５】
工具本体４及び延出部６は、前後方向に相対移動可能に設けられている。清掃作業時には、作業者は、工具本体４を把持し、ヘッド７（清掃体２）を清掃対象面に押し付けながら工具本体４を延出部６に向かって移動させ（プッシュ動作）、その後、把持している工具本体４を延出部６に対して後退させて（プル動作）、清掃対象面からヘッド７を離す。この清掃作業時の工具本体４と延出部６との相対移動を利用して、未使用の清掃体２の供給や、使用済みの清掃体２の回収が行われる。
【００３６】
清掃工具１（アタッチメントの無い状態の清掃工具１）は、ＭＰＯコネクタの清掃に用いられる。延出部６の先端部は、ＭＰＯコネクタの清掃に適した外形をしており、延出部６には、ＭＰＯコネクタの光アダプタのキー溝に適合した突部８が形成されている。作業者がＭＰＯコネクタの光アダプタのキー溝に突部８を合わせながら延出部６の先端を光アダプタに挿入すれば、光アダプタの内壁面によって清掃工具１の延出部６が案内されるため、ヘッド７の清掃体２が光アダプタ内のフェルール端面に自然に到達する。
【００３７】
図１Ａ及び図１Ｂに示す光コネクタ１０，２０は、ＭＰＯコネクタ（及び光アダプタ）とは異なる形状をしている。このため、例えばレセプタクル側光コネクタ１０に延出部６の先端部をそのまま挿入すると、延出部６の周囲に隙間ができてしまうため、レセプタクル側光コネクタ１０のフェルール１５に対してヘッド７の清掃体２がずれてしまい、正常に清掃できないおそれがある。
【００３８】
そこで、本実施形態では、レセプタクル側光コネクタ１０の清掃時には、レセプタクル用アタッチメント３０を延出部６の先端部に装着する。また、プラグ側光コネクタ２０の清掃時には、プラグ用アタッチメント４０を更に装着する。
【００３９】
＜レセプタクル用アタッチメント３０＞
図３Ａ及び図３Ｂは、レセプタクル用アタッチメント３０を装着したときの延出部６の先端部の斜視図である。なお、図２の上側には、装着前のレセプタクル用アタッチメント３０（単体）が示されている。これらの図を用いて、レセプタクル用アタッチメント３０の構成について説明する。
【００４０】
レセプタクル用アタッチメント３０は、レセプタクル側光コネクタ１０の清掃時に延出部６の先端部に装着するためのアタッチメントである。レセプタクル用アタッチメント３０は、延出部６の先端部を挿通させるための挿通穴３０Ａを有する。挿通穴３０Ａには段差（不図示）が形成されており、この段差と延出部６の所定の部位とが接触するまでレセプタクル用アタッチメント３０の挿通穴３０Ａに延出部６を挿入する。これにより、延出部６に対するレセプタクル用アタッチメント３０の前後方向の位置が定まる。
【００４１】
レセプタクル用アタッチメント３０は、基部３１と、レセプタクル用嵌合部３２とを有する。言い換えると、レセプタクル用アタッチメント３０を装着した延出部６には、基部３１及びレセプタクル用嵌合部３２が設けられている。
【００４２】
基部３１は、レセプタクル用嵌合部３２の後側に配置される部位である。基部３１には、挿通穴３０Ａが形成されている。基部３１の少なくとも一部は、レセプタクル用嵌合部３２よりも左右方向（前後方向に垂直な方向）に突出しており、この突出した部位の前端面によって段差面３３が形成されている。言い換えると、基部３１とレセプタクル用嵌合部３２との間に段差面３３が形成されている。後述するように、段差面３３は、レセプタクル側光コネクタ１０の清掃時にレセプタクル側結合部１１と接触する接触部（レセプタクル用接触部）となる。また、段差面３３は、レセプタクル側結合部１１と接触することによって、レセプタクル側光コネクタ１０との前後方向の位置合わせを行う位置合わせ部としても機能する。
【００４３】
基部３１には、固定部３１Ａが形成されている。固定部３１Ａは、プラグ用アタッチメント１０のキャップ４３（後述）を固定する部位である。言い換えると、レセプタクル用アタッチメント３０を装着した延出部６には、キャップ４３を固定する固定部３１Ａが設けられていることになる。
【００４４】
レセプタクル用嵌合部３２は、レセプタクル側光コネクタ１０のレセプタクル側結合部１１に嵌合される円柱形状の部位である。具体的には、レセプタクル用嵌合部３２は、レセプタクル側光コネクタ１０の円筒形状の本体１２の内側に挿入（嵌合）される部位である。レセプタクル用嵌合部３２には挿通穴３０Ａが形成されており、レセプタクル用アタッチメント３０を延出部６に装着すると、延出部６のヘッド７や清掃体２が挿通穴３０Ａから前側に突出する。レセプタクル用嵌合部３２の外周面には、前後方向に沿って溝３２Ａが形成されている。レセプタクル用嵌合部３２の外形は、プラグ側光コネクタ２０の挿入部２２の外形とほぼ同様である。後述するように、レセプタクル用嵌合部３２にはプラグ用アタッチメント４０が装着されることになる。また、後述するように、レセプタクル用嵌合部３２の前端面３２Ｂは、プラグ側光コネクタ２０の清掃時にプラグ側結合部２１（詳しくは挿入部２２の前端面２２Ｂ）と接触する接触部（プラグ用接触部）となる。レセプタクル用嵌合部３２の前端面３２Ｂは、プラグ側結合部２１と接触することによって、プラグ側光コネクタ２０との前後方向の位置合わせを行う位置合わせ部としても機能する。
【００４５】
図６Ａは、レセプタクル側光コネクタ１０の清掃時の説明図である。
作業者は、レセプタクル側光コネクタ１０の清掃時には、延出部６の先端部にレセプタクル用アタッチメント３０を装着した後、レセプタクル側光コネクタ１０の内側突起部１３Ｂとレセプタクル用嵌合部３２の溝３２Ａとを合わせながら、延出部６の先端部をレセプタクル用嵌合部３２とともにレセプタクル側光コネクタ１０の本体１２に挿入させる。このとき、レセプタクル用嵌合部３２をレセプタクル側光コネクタ１０の本体１２に挿入することによって、レセプタクル側光コネクタ１０に対するヘッド７の上下方向及び左右方向の位置合わせが行われる。また、レセプタクル側光コネクタ１０の内側突起部１３Ｂとレセプタクル用嵌合部３２の溝３２Ａとを合わせることによって、レセプタクル側光コネクタ１０に対するヘッド７の回転方向（前後方向を軸とする回転方向）の位置合わせが行われる。
【００４６】
また、作業者は、レセプタクル側光コネクタ１０の円筒形状の本体１２の前縁１２Ａがレセプタクル用アタッチメント３０の段差面３３に接触するまで、延出部６の先端部をレセプタクル用嵌合部３２とともにレセプタクル側光コネクタ１０の本体１２に挿入させる。このとき、レセプタクル側光コネクタ１０の円筒形状の本体１２の前縁１２Ａがレセプタクル用アタッチメント３０の段差面３３に接触することによって、レセプタクル側光コネクタ１０に延出部６が過侵入することが防止される。また、レセプタクル側光コネクタ１０の円筒形状の本体１２の前縁１２Ａがレセプタクル用アタッチメント３０の段差面３３に接触することによって、レセプタクル側光コネクタ１０に対するヘッド７の前後方向の位置合わせが行われる。これにより、ヘッド７は、所定の力で清掃体２をフェルール１５に押し付けることができる。また、レセプタクル側光コネクタ１０の円筒形状の本体１２の前縁１２Ａがレセプタクル用アタッチメント３０の段差面３３に接触することによって、工具本体４を延出部６に向かって移動させることが可能になる（プッシュ動作）。
【００４７】
第１実施形態では、清掃工具１の延出部６は、レセプタクル用アタッチメント３０を装着することによって、レセプタクル用嵌合部３２及び段差面３３（レセプタクル用接触部）を有することになる。これにより、ＭＰＯコネクタの清掃用の清掃工具１を用いて、バヨネットタイプ（ＢＮＣ形）のレセプタクル側光コネクタ１０の清掃が可能となる。
【００４８】
＜プラグ用アタッチメント４０＞
図４Ａ及び図４Ｂは、プラグ用アタッチメント４０を装着したときの延出部６の先端部の斜視図である。図４Ａは、キャップ４３を閉じた状態の斜視図である。図４Ｂは、キャップ４３を開けた状態の斜視図である。図５Ａ及び図５Ｂは、プラグ用アタッチメント４０（単体）の斜視図である。これらの図を用いて、プラグ用アタッチメント４０の構成について説明する。
【００４９】
プラグ用アタッチメント４０は、プラグ側光コネクタ２０の清掃時に延出部６の先端部のレセプタクル用嵌合部３２に装着するためのアタッチメントである。本実施形態では、プラグ用アタッチメント４０は、延出部６の先端部に装着されたレセプタクル用アタッチメント３０に装着される。プラグ用アタッチメント４０は、清掃時に延出部６の先端部（特にヘッド７）とプラグ側光コネクタ２０（特にフェルール２５）とを位置合わせする機能を有する。プラグ用アタッチメント４０は円筒形状の部材である。プラグ側光コネクタ２０の清掃時には、円筒形状のプラグ用アタッチメント４０の後側に延出部６の先端部（特にヘッド７）が配置され、前側にプラグ側光コネクタ２０（特にフェルール２５）が配置され、これにより両者が位置合わせされる（図６Ｂ参照）。
【００５０】
プラグ用アタッチメント４０は、装着部４１と、プラグ用嵌合部４２とを有する。
【００５１】
装着部４１は、レセプタクル用嵌合部３２にプラグ用アタッチメント４０を取り付けるための円筒形状の部位である。装着部４１は、プラグ用アタッチメント４０の後側に位置する。円筒形状の装着部４１の内側にレセプタクル用嵌合部３２が嵌合することによって、プラグ用アタッチメント４０が取り付けられる。
装着部４１は、切り欠き４１Ａと、後方突起部４１Ｂと、後端面４１Ｃとを有する（図５Ｂ参照）。切り欠き４１Ａは、レセプタクル用嵌合部３２に装着部４１を嵌合させやすくするため、後端面４１Ｃから前後方向に沿って形成されている。なお、図２に示すように、切り欠き４１Ａを用いてプラグ用アタッチメント４０を工具本体４に取り付けることが可能である。後方突起部４１Ｂは、円筒形状の装着部４１の内周面から内側に突出した突起であり、前後方向に沿って形成されている。後方突起部４１Ｂとレセプタクル用嵌合部３２の溝３２Ａとを合わせながら、プラグ用アタッチメント４０がレセプタクル用嵌合部３２に装着される。これにより、延出部６（特にヘッド７）に対するプラグ用アタッチメント４０の回転方向（前後方向を軸とする回転方向）の位置合わせが行われる。後端面４１Ｃは、レセプタクル用嵌合部３２から突出した段差面３３（レセプタクル用アタッチメント３０の段差面３３）との接触面となる。
【００５２】
プラグ用嵌合部４２は、プラグ側光コネクタ２０のプラグ側結合部２１に嵌合される円筒形状の部位である。プラグ用嵌合部４２は、プラグ用アタッチメント４０の前側に位置する。円筒形状のプラグ用嵌合部４２は、プラグ側結合部２１の挿入部２２の外側に嵌合することになる。また、円筒形状のプラグ用嵌合部４２は、プラグ側結合部２１の挿入部２２と回転部２３との間の環状の隙間に入り込むことになる。円筒形状のプラグ用嵌合部４２の内周面には、前方突起部４２Ａが形成されている。前方突起部４２Ａは、前後方向に沿って形成されている。プラグ用嵌合部４２の外形は、レセプタクル側光コネクタ１０の本体１２の外形とほぼ同様である。清掃時には、前方突起部４２Ａとプラグ側光コネクタ２０の挿入部２２の溝２２Ａとを合わせながら、円筒形状のプラグ用嵌合部４２の内側にプラグ側光コネクタ２０の挿入部２２を挿入（嵌合）させることになる。
【００５３】
前方突起部４２Ａの回転位置（前後方向を軸とする回転方向の位置）は、後方突起部４１Ｂの回転位置に対して１８０度ずれている。これにより、プラグ側光コネクタ２０の清掃時に、作業者が前方突起部４２Ａとプラグ側光コネクタ２０の挿入部２２の溝２２Ａとを合わせようとすると、清掃工具１の上下方向が、レセプタクル側光コネクタ１０の清掃時（プラグ用アタッチメント４０の未装着時）とは逆方向になる。このため、光コネクタのフェルール１５，２５の端面が傾斜している場合には、清掃工具１の上下方向の向きをフェルール１５，２５の端面の傾斜に合わせるように作業者を誘導できる。
【００５４】
プラグ用アタッチメント４０は、更にキャップ４３を有する。キャップ４３は、プラグ用嵌合部４２の開口を塞ぐ蓋である。キャップ４３でプラグ用嵌合部４２の開口を塞ぐことによって、清掃工具１の未使用時にプラグ用嵌合部４２の開口からゴミや埃や油分などが侵入することを防止でき、清掃体２に汚れが付着することを抑制できる。但し、プラグ用アタッチメント４０がキャップ４３を備えていなくても良い。
【００５５】
キャップ４３は、ヒンジ部４３Ａを介してプラグ用アタッチメント４０に連結されている。但し、キャップ４３は、プラグ用アタッチメント４０と別体であっても良い。
【００５６】
ヒンジ部４３Ａは、円筒形状のプラグ用アタッチメント４０の後側に配置されている。これにより、キャップ４３を開けたときにキャップ４３を後側に待避させることができるため、ヒンジ部４３Ａがプラグ用アタッチメント４０の前側に配置された場合と比べて、清掃時にキャップ４３が邪魔になりにくくなる。なお、ヒンジ部４３Ａがプラグ用アタッチメント４０の後側に配置されたことに伴い、キャップ４３とヒンジ部４３Ａとの間の連結部４３Ｂは、プラグ用アタッチメント４０の前後方向の寸法に相当する長さになっている。
【００５７】
キャップ４３を開けたとき、そのキャップ４３（詳しくは連結部４３Ｂ）を固定部３１Ａに固定可能である。これにより、キャップ４３を固定しない場合と比べて、清掃時にキャップ４３が邪魔になりにくくなる。
【００５８】
キャップ４３を固定する固定部３１Ａは、プラグ用アタッチメント４０を装着する部材（ここではレセプタクル用アタッチメント３０）に設けられている。このため、開けたキャップ４３を固定部３１Ａに固定することによって、清掃時にプラグ用アタッチメント４０が脱落しにくくなるという利点がある。なお、固定部３１Ａをレセプタクル用アタッチメント３０に形成するのではなく、延出部６に一体的に形成しても良い。
【００５９】
図６Ｂは、プラグ側光コネクタ２０の清掃時の説明図である。
作業者は、プラグ側光コネクタ２０を清掃する際に、レセプタクル用嵌合部３２にプラグ用アタッチメント４０を装着する。このとき、作業者は、装着部４１の後方突起部４１Ｂとレセプタクル用嵌合部３２の溝３２Ａとを合わせながら、レセプタクル用嵌合部３２にプラグ用アタッチメント４０を装着する。プラグ用アタッチメント４０の装着後、プラグ側光コネクタ２０の清掃時に、作業者は、キャップ４３を開けてキャップ４３の連結部４３Ｂを固定部３１Ａに固定し、プラグ用嵌合部４２の前方突起部４２Ａとプラグ側光コネクタ２０の挿入部２２の溝２２Ａとを合わせながら、プラグ用嵌合部４２をプラグ側光コネクタ２０のプラグ側結合部２１の挿入部２２の外側に嵌合させる。このとき、円筒形状のプラグ用嵌合部４２に挿入部２２を挿入させることによって、プラグ側光コネクタ２０に対するヘッド７の上下方向及び左右方向の位置合わせが行われる。また、プラグ用嵌合部４２の前方突起部４２Ａとプラグ側光コネクタ２０の挿入部２２の溝２２Ａとを合わせることによって、プラグ側光コネクタ２０に対するヘッド７の回転方向（前後方向を軸とする回転方向）の位置合わせが行われる。
【００６０】
また、作業者は、プラグ側光コネクタ２０の挿入部２２の前端面２２Ｂがレセプタクル用嵌合部３２の前端面３２Ｂに接触するまで、円筒形状のプラグ用嵌合部４２をプラグ側結合部２１の回転部２１と挿入部２２との間の環状隙間に入り込ませる。このとき、挿入部２２の前端面２２Ｂがレセプタクル用嵌合部３２の前端面３２Ｂに接触することによって、プラグ側光コネクタ２０に延出部６が過侵入することが防止される。また、挿入部２２の前端面２２Ｂがレセプタクル用嵌合部３２の前端面３２Ｂに接触することによって、プラグ側光コネクタ２０に対するヘッド７の前後方向の位置合わせが行われる。これにより、ヘッド７は、所定の力で清掃体２をフェルール２５に押し付けることができる。また、挿入部２２の前端面２２Ｂがレセプタクル用嵌合部３２の前端面３２Ｂに接触することによって、工具本体４を延出部６に向かって移動させることが可能になる（プッシュ動作）。
【００６１】
＜２つの接触部について＞
図６Ａに示すように、レセプタクル側光コネクタ１０の清掃時には、レセプタクル用アタッチメント３０の段差面３３（レセプタクル用接触部）がレセプタクル側光コネクタ１０のレセプタクル側結合部１１（詳しくは円筒形状の本体１２の前縁１２Ａ）に接触する。これにより、レセプタクル側光コネクタ１０に延出部６が過侵入することが防止され、工具本体４を延出部６に向かって移動させることが可能になる（プッシュ動作）。
【００６２】
一方、図６Ｂに示すように、プラグ側光コネクタ２０の清掃時には、レセプタクル用嵌合部３２にプラグ用アタッチメント４０が装着されるとともに、レセプタクル用アタッチメント３０のレセプタクル用嵌合部３２の前端面３２Ｂがプラグ側光コネクタ２０のプラグ側結合部２１（詳しくは挿入部２２の前端面２２Ｂ）と接触する。これにより、プラグ側光コネクタ２０に延出部６が過侵入することが防止され、工具本体４を延出部６に向かって移動させることが可能になる（プッシュ動作）。
【００６３】
本実施形態では、プラグ側光コネクタ２０の清掃時にプラグ側結合部２１と突き当たる部材は、プラグ用アタッチメント４０ではなく、レセプタクル用嵌合部３２の前端面３２Ｂになっている。これにより、プラグ側光コネクタ２０の清掃時にプラグ用アタッチメント４０がプラグ側結合部２１から力を受けずに済むため、プラグ用アタッチメント４０の脱落を抑制できる。プラグ用アタッチメント４０は、レセプタクル用嵌合部３２に装着される部品であるため、レセプタクル用アタッチメント３０と比べて脱落しやすい部品なので、清掃時にプラグ用アタッチメント４０が力を受けずに済むことは特に有利である。なお、プラグ用アタッチメント４０と比べればレセプタクル用アタッチメント３０は脱落しにくいため、プラグ側光コネクタ２０の清掃時にレセプタクル用アタッチメント３０の前端面がプラグ側結合部２１から力を受けることは許容される
【００６４】
また、本実施形態のようにプラグ側結合部２１がバヨネットタイプ（ＢＮＣ形）の場合に、レセプタクル用嵌合部３２の前端面３２Ｂがプラグ側結合部２１と接触することが特に有利となる。この理由は、挿入部２２と回転部２３との間の環状隙間が深いため、仮にプラグ側光コネクタ２０の清掃時にプラグ用アタッチメント４０の前縁面（周縁部）がプラグ側結合部２１と突き当たるように構成すると、プラグ用アタッチメント４０の前後方向の寸法が長くなってしまうためである。これに対し、本実施形態では、プラグ側光コネクタ２０の清掃時にレセプタクル用嵌合部３２の前端面３２Ｂがプラグ側結合部２１と突き当たるように構成することによって、プラグ用アタッチメント４０の前後方向の寸法の短縮化を可能にしている。また、プラグ用アタッチメント４０の短縮化によって、プラグ用アタッチメント４０の脱落を更に抑制できるという相乗効果も得られる。
【００６５】
第１実施形態では、レセプタクル側光コネクタ１０の清掃時には段差面３３がレセプタクル側結合部１１と接触し、プラグ側光コネクタ２０の清掃時にはレセプタクル用嵌合部３２の前端面３２Ｂがプラグ側結合部２１と接触する。つまり、延出部６の先端部には、レセプタクル用接触部（段差面３３）とプラグ用接触部（レセプタクル用嵌合部３２の前端面３２Ｂ）とが設けられていることになる。そして、第１実施形態のようにレセプタクル側光コネクタ１０の清掃時にレセプタクル用接触部がレセプタクル側結合部１１の前縁１２Ａ（円筒形状の本体１２の前縁１２Ａ）と接触する場合、レセプタクル用接触部（段差面３３）とプラグ用接触部（レセプタクル用嵌合部３２の前端面３２Ｂ）との間の前後方向の寸法は、４．４ｍｍ〜９．６ｍｍの範囲であることが望ましい。以下、この理由について説明する。
【００６６】
レセプタクル側光コネクタ１０の機械的基準面（基準位置）は、図６Ａに示すように、プラグ側結合部２１と結合することになる外側突起部１３Ａの位置となる。更に厳密には、フェルール１５，２５が前側に押圧された状態で後退可能に収容されており、光コネクタの結合時に突き当てられたフェルール１５，２５の反力によって、レセプタクル側結合部１１の外側突起部１３Ａの後縁がプラグ側光コネクタ２０の係止部２３Ｂの前縁に引っ掛かるため、レセプタクル側光コネクタ１０の機械的基準面は、外側突起部１３Ａの後縁の位置となる。
【００６７】
レセプタクル側光コネクタ１０の機械的基準面とフェルール１５の端面との間の前後方向の寸法ＡＢは、前述のARIB STD-B58により定められており、４．７〜５．１ｍｍの範囲である。また、機械的基準面と円筒形状の本体１２の前縁１２Ａ（レセプタクル用接触部と接触する部位）との間の前後方向の寸法Ｌは、４．３〜４．５ｍｍの範囲である。このため、フェルール１５の端面と円筒形状の本体１２の前縁１２Ａ（レセプタクル用接触部と接触する部位）との間の前後方向の寸法は、ＡＢ＋Ｌに相当し、９．０〜９．６ｍｍの範囲となる。
また、機械的基準面と円筒形状の本体１２の後端面との間の前後方向の寸法Ｒは最小値が９．７ｍｍである。このため、フェルール１５の端面と円筒形状の本体１２の後端面との間の前後方向の寸法は、Ｒ−ＡＢに相当し、４．６ｍｍ以上となる。光コネクタの結合時にプラグ側光コネクタ２０の挿入部２２の前端面２２Ｂとレセプタクル側光コネクタ１０の円筒形状の本体１２の後端面とが非接触である必要があるため、プラグ側光コネクタ２０のフェルール２５と挿入部２２の前端面２２Ｂとの前後方向の寸法Ｘは、４．６ｍｍ未満である（図６Ｂ参照）。したがって、図６Ｂに示す通り、レセプタクル用接触部（段差面３３）とプラグ用接触部（レセプタクル用嵌合部３２の前端面３２Ｂ）との間の前後方向の寸法は、ＡＢ＋Ｌ−Ｘに相当し、４．４ｍｍ〜９．６ｍｍの範囲になる。
【００６８】
なお、本実施形態では、レセプタクル側結合部１１及びプラグ側結合部２１がバヨネットタイプの結合機構であるが、結合機構はこれに限られるものではない。例えば、レセプタクル側結合部及びプラグ側結合部がネジ式の結合機構であっても良い。但し、清掃対象となる光コネクタは、ガイドピンとガイド穴を嵌合させて位置決めする多心フェルールを結合機構の内部に配置したものであることが望ましい。この理由は、清掃対象が割りスリーブで位置決めする単心フェルールを有する光コネクタ（例えばＳＣコネクタ）の場合、アダプタ内の割りスリーブに清掃工具の先端部を突き当てた状態でヘッド（清掃体）が割りスリーブ内のフェルール（アダプタに装着中の光コネクタのフェルール）に接触するように清掃工具の先端部を構成すると（特許文献２（特許第４５７９３３０号公報）図６参照）、プラグ清掃時にヘッド（清掃体）とプラグ側フェルールとを接触させたときにプラグ側光コネクタのハウジングが清掃工具の先端部から離れてしまうため（同文献図８０参照）、アタッチメントを介さずにプラグ側光コネクタのハウジングと清掃工具の先端部とを直接接触させられないからである。
【００６９】
＝＝＝第２実施形態＝＝＝
第１実施形態では、ＭＰＯコネクタの清掃用の清掃工具１にレセプタクル用アタッチメント３０を装着していた。但し、ＭＰＯコネクタの清掃に兼用させないのであれば、延出部６の先端部の形状をバヨネットタイプの光コネクタの清掃に適した外形として、レセプタクル用アタッチメント３０の装着を不要にしても良い。
【００７０】
図７Ａ及び図７Ｂは、第２実施形態の清掃工具１における延出部６の先端部の斜視図である。図８Ａ及び図８Ｂは、第２実施形態における清掃時の説明図である。
【００７１】
延出部６には、レセプタクル用嵌合部３２と溝３２Ａとが形成されている（図７Ａ及び図７Ｂ参照）。レセプタクル用嵌合部３２は、レセプタクル側光コネクタ１０のレセプタクル側結合部１１に嵌合される円柱形状の部位である。具体的には、レセプタクル用嵌合部３２は、レセプタクル側光コネクタ１０の円筒形状の本体１２の内側に挿入（嵌合）される部位である。図８Ｂに示すように、レセプタクル用嵌合部３２にはプラグ用アタッチメント４０が装着されることになる。
【００７２】
レセプタクル用嵌合部３２の外周面には、前後方向に沿って溝３２Ａが形成されている。この溝３２Ａの前後方向の寸法は、プラグ側光コネクタ２０の挿入部２２の溝２２Ａと比べて短い。これにより、第２実施形態では、レセプタクル用嵌合部３２をレセプタクル側光コネクタ１０のレセプタクル側結合部１１に嵌合させたとき、この溝３２Ａの後縁３２１が、レセプタクル側光コネクタ１０の内側突起部１３Ｂと接触する（突き当たる）。つまり、第２実施形態では、レセプタクル用嵌合部３２の溝３２Ａの後縁３２１が、レセプタクル側光コネクタ１０の清掃時にレセプタクル側結合部１１と接触する接触部（レセプタクル用接触部）となる。レセプタクル用嵌合部３２の溝３２Ａの後縁３２１は、レセプタクル側結合部１１と接触することによって、レセプタクル側光コネクタ１０との前後方向の位置合わせを行う位置合わせ部としても機能する。
【００７３】
図８Ａに示すように、レセプタクル側光コネクタ１０の清掃時には、作業者は、レセプタクル側光コネクタ１０の内側突起部１３Ｂがレセプタクル用嵌合部３２の溝３２Ａの後縁３２１に接触するまで、延出部６の先端部のレセプタクル用嵌合部３２をレセプタクル側光コネクタ１０の本体１２に挿入させる。レセプタクル側光コネクタ１０の内側突起部１３Ｂがレセプタクル用嵌合部３２の溝３２Ａの後縁３２１に接触することによって、レセプタクル側光コネクタ１０に延出部６が過侵入することが防止される。また、レセプタクル側光コネクタ１０の内側突起部１３Ｂがレセプタクル用嵌合部３２の溝３２Ａの後縁３２１に接触することによって、レセプタクル側光コネクタ１０に対するヘッド７の前後方向の位置合わせが行われる。これにより、ヘッド７は、所定の力で清掃体２をフェルール１５に押し付けることができる。また、レセプタクル側光コネクタ１０の内側突起部１３Ｂがレセプタクル用嵌合部３２の溝３２Ａの後縁３２１に接触することによって、工具本体４を延出部６に向かって移動させることが可能になる（プッシュ動作）。
【００７４】
第２実施形態では、レセプタクル用嵌合部３２及び溝３２Ａの後縁３２１（レセプタクル用接触部）が延出部６に一体的に形成されている。これにより、レセプタクル側光コネクタ１０の清掃時にアタッチメントが脱落するおそれがなく、バヨネットタイプのレセプタクル側光コネクタ１０の清掃が容易になる。
【００７５】
図８Ｂに示すように、作業者は、プラグ側光コネクタ２０を清掃する際に、レセプタクル用嵌合部３２にプラグ用アタッチメント４０を装着する。そして、作業者は、プラグ側光コネクタ２０の挿入部２２の前端面２２Ｂがレセプタクル用嵌合部３２の前端面３２Ｂに接触するまで、円筒形状のプラグ用嵌合部４２をプラグ側結合部２１の挿入部２２の外側に嵌合させる。プラグ側光コネクタ２０の挿入部２２の前端面２２Ｂがレセプタクル用嵌合部３２の前端面３２Ｂに接触することによって、プラグ側光コネクタ２０に延出部６が過侵入することが防止される。また、挿入部２２の前端面２２Ｂがレセプタクル用嵌合部３２の前端面３２Ｂに接触することによって、プラグ側光コネクタ２０に対するヘッド７の前後方向の位置合わせが行われる。これにより、ヘッド７は、所定の力で清掃体２をフェルール２５に押し付けることができる。また、挿入部２２の前端面２２Ｂがレセプタクル用嵌合部３２の前端面３２Ｂに接触することによって、工具本体４を延出部６に向かって移動させることが可能になる（プッシュ動作）。
【００７６】
第２実施形態においても、プラグ側光コネクタ２０の清掃時にプラグ側結合部２１と突き当たる部材は、プラグ用アタッチメント４０ではなく、レセプタクル用嵌合部３２の前端面３２Ｂである。これにより、第１実施形態と同様に、プラグ側光コネクタ２０の清掃時にプラグ用アタッチメント４０がプラグ側結合部２１から力を受けずに済むため、プラグ用アタッチメント４０の脱落を抑制できる。
【００７７】
第２実施形態では、レセプタクル側光コネクタ１０の清掃時にはレセプタクル用嵌合部３２の溝３２Ａの後縁３２１がレセプタクル側結合部１１と接触し（図８Ａ参照）、プラグ側光コネクタ２０の清掃時にはレセプタクル用嵌合部３２の前端面３２Ｂがプラグ側結合部２１と接触する（図８Ｂ参照）。つまり、第２実施形態においても、延出部６の先端部には、レセプタクル用接触部（レセプタクル用嵌合部３２の溝３２Ａの後縁３２１）とプラグ用接触部（レセプタクル用嵌合部３２の前端面３２Ｂ）とが設けられていることになる。そして、第２実施形態のようにレセプタクル側光コネクタ１０の清掃時にレセプタクル用接触部がレセプタクル側結合部１１の内側突起部１３Ｂと接触する場合、レセプタクル用接触部とプラグ用接触部との間の前後方向の寸法は、０．４〜７．９ｍｍの範囲であることが望ましい。以下、この理由について説明する。
【００７８】
レセプタクル側光コネクタ１０の機械的基準面とフェルール１５の端面との間の前後方向の寸法ＡＢは、既に説明した通り、４．７〜５．１ｍｍの範囲である。また、機械的基準面と円筒形状の本体１２の前縁１２Ａとの間の前後方向の寸法Ｌは、４．３〜４．５ｍｍの範囲である。また、円筒形状の本体１２の前縁１２Ａと内側突起部１３Ｂの前縁（レセプタクル用接触部と接触する部位）との間の前後方向の寸法Ｍは、１．７〜４．０ｍｍである。このため、フェルール１５の端面と内側突起部１３Ｂの前縁（レセプタクル用接触部と接触する部位）との間の前後方向の寸法は、ＡＢ＋Ｌ−Ｍに相当し、５．０〜７．９ｍｍの範囲となる。
また、既に説明したように、プラグ側光コネクタ２０のフェルール２５と挿入部２２の前端面２２Ｂとの前後方向の寸法Ｘは、４．６ｍｍ未満である。したがって、図８Ｂに示す通り、レセプタクル用接触部とプラグ用接触部との間の前後方向の寸法は、ＡＢ＋Ｌ−Ｍ−Ｘに相当し、０．４〜７．９ｍｍの範囲になる。
【００７９】
第２実施形態では、レセプタクル用接触部が、レセプタクル側結合部１１の内側突起部１３Ｂと接触する。これにより、第１実施形態のようにレセプタクル用接触部がレセプタクル側結合部１１の円筒形状の本体１２の前縁１２Ａに接触する場合と比べて、レセプタクル用接触部とプラグ用接触部との間の前後方向の寸法を短縮化できる。具体的には、第２実施形態では、円筒形状の本体１２の前縁１２Ａと内側突起部１３Ｂの前縁との間の前後方向の寸法Ｍ（図８Ａ参照）に相当する分だけ短縮化可能である。
【００８０】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８１】
１  清掃工具、２  清掃体、
４  工具本体、６  延出部、
７  ヘッド、８  突部、
１０  レセプタクル側光コネクタ、
１１  レセプタクル側結合部、
１２  本体、１２Ａ  前縁、
１３Ａ  外側突起部、１３Ｂ  内側突起部、
１５  フェルール、
２０  プラグ側光コネクタ、
２１  プラグ側結合部、
２２  挿入部、２２Ａ  溝、２２Ｂ  前端面、
２３  回転部、２３Ａ  導入部、２３Ｂ  係止部、
２５  フェルール、
３０  レセプタクル用アタッチメント、
３０Ａ  挿通穴、３１  基部、３１Ａ  固定部、
３２  レセプタクル用嵌合部、３２Ａ  溝、
３２Ｂ  前端面（プラグ用接触部）、
３２１  後縁（第２実施形態のレセプタクル用接触部）、
３３  段差面（第１実施形態のレセプタクル用接触部）、
４０  プラグ用アタッチメント
４１  装着部、４１Ａ  切り欠き、
４１Ｂ  後方突起部、４１Ｃ  後端面、
４２  プラグ用嵌合部、４２Ａ  前方突起部、
４３  キャップ、４３Ａ  ヒンジ部、４３Ｂ  連結部
【図１】
0006588754.tif 000002
【図２】
0006588754.tif 000003
【図３】
0006588754.tif 000004
【図４】
0006588754.tif 000005
【図５】
0006588754.tif 000006
【図６】
0006588754.tif 000007
【図７】
0006588754.tif 000008
【図８】
0006588754.tif 000009